(57)【要約】【課題】表面シート側で液の拡散が抑制されるとともに、吸収体中で血液を広く拡散させることが可能である吸収性物品を提供すること。【解決手段】吸収性物品１０は吸収性コア１４及びこれを被覆するコアラップシート１５を有する吸収体１３を備える。コアラップシート１５がカチオン性ポリマーを含む。吸収性コア１４の厚さ方向に沿って、肌対向面側を肌対向領域１６とし、衣類対向面側を衣類対向領域１７としたとき、長手方向に関して着用者の排泄部と対向する領域を含む中間部において、肌対向領域１６の密度が衣類対向領域１７の密度よりも低くなっている領域を有する。肌対向領域の密度は０．０１ｇ／ｃｍ３以上０．１０ｇ／ｃｍ３以下であることが好適である。衣類対向領域の密度は０．１ｇ／ｃｍ３以上０．５ｇ／ｃｍ３以下であることが好適である。【選択図】図１
2019041794.tif 000002
【特許請求の範囲】
【請求項１】
吸収性コア及び該吸収性コアを被覆するコアラップシートを有する吸収体を備え、着用者前後方向に対応する長手方向と該長手方向に直交する幅方向を有する吸収性物品であって、
前記コアラップシートがカチオン性ポリマーを含み、
前記吸収性コアの厚さ方向に沿って、肌対向面側を肌対向領域とし、衣類対向面側を衣類対向領域としたとき、少なくとも前記長手方向に関して着用者の排泄部と対向する領域を含む中間部において、前記肌対向領域の密度が前記衣類対向領域の密度よりも低くなっている領域を有する吸収性物品。
【請求項２】
前記カチオン性ポリマーの重量平均分子量が１万以上１０００万以下である請求項１に記載の吸収性物品。
【請求項３】
前記肌対向領域の密度が０．０１ｇ／ｃｍ３以上０．１０ｇ／ｃｍ３以下である請求項１又は２に記載の吸収性物品。
【請求項４】
前記衣類対向領域の密度が０．１ｇ／ｃｍ３以上０．５ｇ／ｃｍ３以下である請求項１ないし３のいずれか一項に記載の吸収性物品。
【請求項５】
吸収性コア及び該吸収性コアを被覆するコアラップシートを有する吸収体を備え、着用者前後方向に対応する長手方向と該長手方向に直交する幅方向を有する吸収性物品であって、
前記コアラップシートが血球凝集剤を含み、
前記吸収性コアの厚さ方向に沿って、肌対向面側を肌対向領域とし、衣類対向面側を衣類対向領域としたとき、少なくとも前記長手方向に関して着用者の排泄部と対向する領域を含む中間部において、前記肌対向領域の密度が前記衣類対向領域の密度よりも低くなっている領域を有する吸収性物品。
【発明の詳細な説明】
【技術分野】
【０００１】
本発明は吸収性物品に関する。
【背景技術】
【０００２】
カチオン性の高分子材料を吸収性物品に適用して、該吸収性物品の諸性能を向上させる技術が知られている。例えば特許文献１にはカチオン性ポリマーであるポリリシンを、パーソナルケア吸収性物品のカバーシートと液体不浸透性裏当て材料との間に配置し、ポリリシンによって経血中の赤血球を凝集させる技術が記載されている。
【０００３】
前記の技術とは別に、吸収性物品における吸収体の密度を、厚み方向に沿って異ならせる技術も知られている。例えば特許文献２には、表面シート側から順に上層及び下層を有する吸収体において、下層の密度を上層の密度よりも高くした吸収性物品が記載されている。この吸収性物品によれば、吸収体内への体液の速やかな受け入れや、吸収体内での体液の拡散性の向上が図れると、同文献には記載されている。
【先行技術文献】
【特許文献】
【０００４】
【特許文献１】特表２００２−５２８２３２号公報
【特許文献２】特開２００４−１２１３８２号公報
【発明の概要】
【発明が解決しようとする課題】
【０００５】
特許文献１に記載の技術では、赤血球の凝集塊が吸収性コアの表面シート側に残り、且つ血液から分離された血漿が吸収性コアの表面シート側で拡散することに起因して、使用者が吸収性物品の表面を見たときに、液が広範囲にわたって広がっている印象を与えがちであり、そのことに起因して使用者に対し液漏れの不安感を与える場合がある。
【０００６】
特許文献２に記載の技術では、吸収体における上層の毛管力が低いことに起因して、表面シート側に液が残りやすく、ドライ感を損ねる場合がある。
【０００７】
したがって本発明の課題は、前述した従来技術が有する欠点を解消し得る吸収性物品を提供することにある。
【課題を解決するための手段】
【０００８】
本発明は、吸収性コア及び該吸収性コアを被覆するコアラップシートを有する吸収体を備え、着用者前後方向に対応する長手方向と該長手方向に直交する幅方向を有する吸収性物品であって、前記コアラップシートがカチオン性ポリマーを含み、前記吸収性コアの厚さ方向に沿って、肌対向面側を肌対向領域とし、衣類対向面側を衣類対向領域としたとき、少なくとも前記長手方向の中間部において、前記肌対向領域の密度が前記衣類対向領域の密度よりも低くなっている領域を有する吸収性物品を提供するものである。
【０００９】
また本発明は、吸収性コア及び該吸収性コアを被覆するコアラップシートを有する吸収体を備え、着用者前後方向に対応する長手方向と該長手方向に直交する幅方向を有する吸収性物品であって、前記コアラップシートが血球凝集剤を含み、前記吸収性コアの厚さ方向に沿って、肌対向面側を肌対向領域とし、衣類対向面側を衣類対向領域としたとき、少なくとも前記長手方向の中間部において、前記肌対向領域の密度が前記衣類対向領域の密度よりも低くなっている領域を有する吸収性物品を提供するものである。
【発明の効果】
【００１０】
本発明によれば、吸収性物品の肌対向面側で液の拡散が抑制されるとともに、吸収体中で血液を広く拡散させることが可能である吸収性物品が提供される。
【図面の簡単な説明】
【００１１】
【図１】図１は、本発明の吸収性物品の一実施形態を示す幅方向断面図である。
【図２】図２は、本発明の吸収性物品の別の実施形態を示す幅方向断面図である。
【発明を実施するための形態】
【００１２】
以下本発明を、その好ましい実施形態に基づき図面を参照しながら説明する。本発明の吸収性物品は一般に、着用者の腹側から中間部を介して背側に延びる方向に相当する長手方向とこれに直交する幅方向とを有する縦長の形状をしている。吸収性物品は、着用者前後方向に対応する長手方向において、着用者の排泄部を含む領域に配される中間部並びにその前後に延在する前方部及び後方部を有する。中間部は、吸収性物品の着用時に着用者の排泄部に対向配置される排泄部対向部を有しており、該排泄部対向部は通常、中間部の幅方向の中央部又はその近傍に位置している。本発明の吸収性物品は血液の吸収のために好適に用いられ、例えば生理用ナプキン及びパンティライナーなどとして用いられる。尤も、これ以外の吸収性物品、例えば使い捨ておむつや失禁パッドなど、体液の吸収のために用いられる物品を広く包含する。
【００１３】
図１に示す実施形態の吸収性物品１０は、表面シート１１、裏面シート１２及び両シート１１，１２間に配された吸収体１３を備えている。表面シート１１は液透過性のものであり、吸収性物品１０の着用状態において着用者の身体に対向する位置に配されている。裏面シート１２は液不透過性ないし難透過性のものであり、吸収性物品１０の着用状態において着用者の身体から遠い側に配されている。
【００１４】
表面シート１１としては、液透過性を有するシート、例えば不織布や穿孔フィルムなどを用いることができる。表面シート１１は、その肌対向面側が凹凸形状になっていてもよい。例えば表面シート１１の肌対向面側に、散点状に複数の凸部を形成することができる。あるいは、表面シート１１の肌対向面側に、一方向に延びる畝部と溝部とを交互に形成することができる。そのような目的のために、２枚以上の不織布を用いて表面シート１１を形成することもできる。
【００１５】
一方、裏面シート１２としては、例えば液難透過性のフィルムやスパンボンド・メルトブローン・スパンボンド積層不織布などを用いることができる。液難透過性のフィルムに、複数の微細孔を設け、該フィルムに水蒸気透過性を付与してもよい。吸収性物品の肌触り等を一層良好にする目的で、裏面シート１２の外面に不織布等の風合いの良好なシートを積層してもよい。
【００１６】
吸収性物品１０は、その具体的な用途に応じ、これらの部材の他に、該物品１０の各種の性能を向上させるための部材を備えていてもよい。例えば吸収性物品１０の肌対向面において、該物品１０の幅方向Ｙの両側部に、該物品１０の長手方向、すなわち図１中、紙面と直交する方向に延びる一対の防漏カフ（図示せず）を設けてもよい。防漏カフは、液抵抗性ないし撥水性で且つ通気性の素材から構成することができる。各防漏カフは、吸収性物品１０の長手方向に延びる固定端及び自由端を有し、該固定端の位置において吸収性物品１０の肌対向面に固定することができる。自由端には、その延びる方向に沿って糸ゴム等の弾性部材を伸長状態で固定してもよい。吸収性物品１０の着用状態においてこの弾性部材が収縮することによって、防漏カフが着用者の身体に向けて起立するようになり、表面シート上に排泄された液が、表面シート上を伝い吸収性物品の幅方向外方へ漏れ出すことが効果的に阻止される。
【００１７】
また吸収性物品１０は、長手方向の略中央部において、吸収体１３の各側縁から幅方向Ｙの外方に延出したウイング部（図示せず）を有していてもよい。ウイング部は、吸収性物品１０を使用者の着衣に固定するために用いられるものである。この目的のために、ウイング部における衣類対向面には固定用の粘着剤が付与されていてもよい。なお、吸収性物品１０がウイング部を備える場合には、長手方向Ｘに関してウイング部が存在する領域が、上述した中間部に相当する。一方、吸収性物品１０がウイング部を備えていない場合には、吸収性物品１０を個包装する際に２つないし３つの幅方向に延びる折り線で折り畳むが、排泄部対向部を含む前後に隣り合う２つの折り線の間の領域が中間部に相当する。したがって、２つの折り線で３つ折りされている場合には、その２つの折り線で挟まれた領域が中間部である。
【００１８】
吸収性物品１０は、更に、長手方向の後方部において、吸収体１３の各側縁から幅方向Ｙの外方に延出した後方張り出し部（図示せず）を有していてもよい。後方張り出し部は、吸収性物品１０の使用状態において使用者の臀部付近を覆い、後方からの液の漏れ出しを防止するために用いられるものである。
【００１９】
吸収性物品１０は更に、非肌対向面の表面に粘着剤層（図示せず）を有していてもよい。粘着剤層は、吸収性物品１０の使用状態において、該吸収性物品１０を、下着や別の吸収性物品に固定するために用いられる。
【００２０】
吸収性物品１０は更に、表面シート１１と吸収体１３とが一体的に圧密化されて形成された溝部を肌対向面に有していてもよい。溝部は例えば、吸収性物品１０の側部域に、長手方向に沿って延びるように一対設けることができる。あるいは閉じた環状の溝部を形成してもよい。
【００２１】
吸収体１３は吸収性コア１４及び該吸収性コア１４を被覆するコアラップシート１５を有する。吸収性コア１４は、各種の吸水性材料から構成することができる。吸水性材料としては、各種の親水性繊維を用いることができる。親水性繊維としては、疎水性の繊維を親水化処理したものと、それ自体が親水性であるものが挙げられ、これらの１種を単独で又は２種以上を組み合わせて用いることができる。特に、それ自体が親水性で且つ保水性を有するものが好ましい。後者の親水性繊維としては、天然繊維、セルロース系の再生繊維又は半合成繊維が好ましい例として挙げられる。親水性繊維としては、特にパルプやレーヨンが好ましく、パルプが一層好ましい。パルプには、針葉樹クラフトパルプ、広葉樹クラフトパルプなどの木材パルプの他に、木綿パルプ、藁パルプなどの非木材パルプなどがあるが、その種類に特に制限はない。また、セルロース繊維の分子内及び／又は分子間を架橋させた架橋セルロース繊維、木材パルプをマーセル化処理して得られるような嵩高性のセルロース繊維を用いてもよい。
【００２２】
吸収性コア１４を構成する吸水性材料の別の例として、高吸収性ポリマーが挙げられる。高吸収性ポリマーとしては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸やイタコン酸等のコモノマーを、高吸収性ポリマーの性能を低下させない範囲で共重合させた共重合物も用いることができる。
【００２３】
吸収性コア１４は、例えば前記の親水性繊維の積繊体や、親水性繊維と高吸収性ポリマーとの混合積繊体から構成することができるが、これらの形態には限られない。
【００２４】
吸収性コア１４は、その肌対向面、衣類対向面及び側面がコアラップシート１５で被覆されている。吸収性コア１４をコアラップシート１５で被覆することで、吸収性コア１４の保形性を高めることができる。また、吸収性コア１４から、その構成材料が脱落することを効果的に防止することができる。この観点から、コアラップシート１５は、吸収性コア１４における肌対向面、衣類対向面及び側面の全域を被覆していることが好ましい。図１に示す実施形態では、吸収性コア１４が１枚のコアラップシート１５で被覆されている状態が示されているが、コアラップシート１５の枚数はこれに限られず、例えば２枚又は３枚以上のコアラップシートを用いて吸収性コア１４を被覆してもよい。
【００２５】
コアラップシート１５は、液透過性を有する材料から構成することができる。そのような材料としては例えば薄葉紙や不織布が挙げられるが、これらに限られない。コアラップシート１５として不織布を用いる場合には、その構成繊維の種類に応じて親水化処理が施されたものを用いてもよい。
【００２６】
吸収体１３における吸収性コア１４は、その厚さ方向Ｚに沿って見たとき、少なくとも中間部において、前記肌対向領域の密度が前記衣類対向領域の密度よりも低くなっている領域を有する。つまり、吸収性コア１４は、厚み方向Ｚに沿って見たときに、少なくとも中間部において、密度が相対的に低い部位と、密度が相対的に高い部位とを有する。吸収性物品１０は、中間部の幅方向Ｙの中央領域である排泄部対向部において、密度が相対的に低い部位と、密度が相対的に高い部位とを吸収体１３の厚み方向Ｚに沿って有する。密度が相対的に低い部位は、肌対向面側に位置する肌対向領域１６である。一方、密度が相対的に高い部位は、衣類対向面側に位置する衣類対向領域１７である。肌対向領域１６と、衣類対向領域１７とは、吸収性コア１４の厚み方向に沿って隣接している。吸収性物品１０の具体的な用途に応じ、肌対向領域１６と衣類対向領域１７の間に肌対向領域１６から衣類対向領域１７に向かって密度が徐々に変化する領域があってもよい。
【００２７】
吸収性物品１０においては、肌対向領域１６と衣類対向領域１７とは、それらの密度の大小で区別される。肌対向領域１６はその密度が概ね一定であり、同様に衣類対向領域１７もその密度が概ね一定である。したがって、吸収性コア１４の密度をその厚み方向Ｚに沿って測定したときに、密度が有意に変化する位置が、肌対向領域１６と衣類対向領域１７との境界となる。なお、吸収性コア１４の密度は、以下のようにして測定される。肌対向領域１６及び衣類対向領域１７それぞれから吸収性コア１４を長手方向７ｃｍ×横方向７ｃｍで切り取り、切り取った吸収性コア片に３．５ｍｍ×３．５ｍｍのアクリル板（重さ５ｇ）を乗せ、ピーコック厚み計を用いて厚さを測定する。切り取った吸収性コア片の質量、面積及び厚さの測定値から、密度を計算する。
なお、吸収性コア１４の密度が肌対向領域１６から衣類対向領域１７に向かって徐々に変化する場合も本発明では除外しない。
【００２８】
図１に示す実施形態では、肌対向領域１６と衣類対向領域１７との境界Ｂが吸収性コア１４の厚み方向Ｚにおける概ね中央に位置している状態が示されている。しかし、境界Ｂの位置はこれに限られず、吸収性コア１４を構成する材料の種類や、吸収性物品１０の具体的な用途に応じ、吸収性コア１４の厚み方向Ｚにおける適切な位置に境界Ｂを設けることができる。境界Ｂにおいて肌対向領域１６と衣類対向領域１７とは単に接触しているだけでもよく、あるいは接着剤によって接合されていてもよい。
【００２９】
肌対向領域１６と衣類対向領域１７との密度の大小関係は、少なくとも中間部において満たされていればよく、吸収性コア１４の全域において満たされていることが好ましい。この場合、吸収性コア１４において厚み方向Ｚに沿う密度を変えて肌対向領域１６と衣類対向領域１７と形成するには例えば、衣類対向領域１７のための中間体を製造し、その上に肌対向領域１６のための中間体を重ねればよい。この場合、衣類対向領域１７のための中間体には親水性繊維及び高吸収性ポリマーを含有させて相対的に密度を高める一方、肌対向領域１６のための中間体には親水性繊維を含有させ且つ高吸収性ポリマーを非含有として相対的に密度を低めることが好ましい。
【００３０】
吸収性コア１４の製造の別法として、衣類対向領域１７のための中間体を製造し、該中間体を圧縮してその密度を高めた後、その上に肌対向領域１６のための中間体を重ねる方法を採用することもできる。そのような中間体の製造には、例えば吸収性物品の技術分野において知られている各種の積繊装置を用いることができる。
【００３１】
吸収性コア１４を被覆するコアラップシート１５には血球凝集作用を有するカチオン性ポリマー、又は、血球凝集剤が含まれている。血球凝集作用とは、血液と接触することによって血液中の赤血球を凝集させる作用のことであり、血球凝集作用を有する剤を血球凝集剤と呼ぶ。ここで言う血液とは一般にはヒトの血液のことであるが、これに制限されない。つまり血球凝集剤とは、血液中の赤血球を凝集させる作用を有し、凝集した凝集塊と血漿成分が分離されるよう作用するものである。後述するように血球凝集剤の代表的な好ましい例はカチオン性ポリマーであり、吸収性コア１４を被覆するコアラップシート１５にはカチオン性ポリマーが含まれている場合がある。カチオン性ポリマーは血球凝集の効果を有する化合物の一つであるとも言える。
【００３２】
血球凝集剤をコアラップシート１５に含ませることで、吸収性物品１０が血液を吸収したときに、コアラップシート１５に到達した血液は、血球凝集剤の作用によって血球の凝集体と血漿とに分離する。血球の凝集体と血漿とに分離する前の血液は非ニュートン流体的な特性を有するので、コアラップシート１５に被覆されている吸収性コア１４の毛管力が作用しづらく、吸収性コア１４への吸収速度が著しく遅くなる。このこととは対照的に、血球凝集剤によって分離された血漿はニュートン流体的な特性を有するので、血液と異なり、吸収性コア１４の毛管力が作用しやすく、吸収性コア１４へ素早く吸収される。その上、吸収性コア１４は、上述のとおり、密度が低い肌対向領域１６と、密度が高い衣類対向領域１７とを備えているので、コアラップシート１５に接している肌対向領域１６への液の移行はスポット的に行われつつ、肌対向領域１６から密度が高い衣類対向領域１７への液の移行は横方向への拡散を伴うものとなるので、衣類対向領域１７の全域を液の吸収に有効利用できる。その結果、吸収性物品１０の表面シート１１側においては、凝集した血球がトラップされ且つ血漿の横方向への拡散が抑制されるとともに、血漿が使用者の身体から遠い位置、すなわち衣類対向領域１７において素早く固定化される。
【００３３】
以上の観点から、血球凝集剤は、コアラップシート１５のうち、吸収性コア１４と表面シート１１との間に少なくとも含まれていることが好ましい。この場合、血球凝集剤は、コアラップシート１５のうち、吸収性コア１４と表面シート１１との間の全域に含まれていてもよく、ある特定の領域、例えば使用者の排泄部に対向する領域にのみ含まれていてもよい。血球凝集の効果を一層高める観点から、血球凝集剤は、コアラップシート１５のうち、吸収性コア１４と表面シート１１との間に加えて、吸収性コア１４と裏面シート１２との間に含まれていることも好ましい。更に、血球凝集剤は、コアラップシート１５の全域に含まれていることも好ましい。
【００３４】
血球凝集剤による血球凝集の効果を一層顕著なものとする観点から、コアラップシート１５に含まれる血球凝集剤の割合は、０．１質量％以上であることが好ましく、０．５質量％以上であることが更に好ましく、１質量％以上であることが一層好ましい。また、５０質量％以下であることが好ましく、４０質量％以下であることが更に好ましく、３０質量％以下であることが一層好ましい。コアラップシート１５に含まれる血球凝集剤の割合は、０．１質量％以上５０質量％以下であることが好ましく、０．５質量％以上４０質量％以下であることが更に好ましく、１質量％以上３０質量％以下であることが一層好ましい。この割合は、血球凝集剤が含まれているコアラップシート１５の質量に基づき算出される。
【００３５】
吸収性コア１４による液の引き込み性及び液の固定性を一層高める観点から、該吸収性コア１４における肌対向領域１６の密度は０．００１ｇ／ｃｍ３以上であることが好ましく、０．００５ｇ／ｃｍ３以上であることが更に好ましく、０．０１ｇ／ｃｍ３以上であることが一層好ましい。また、１．０ｇ／ｃｍ３以下であることが好ましく、０．５ｇ／ｃｍ３以下であることが更に好ましく、０．１ｇ／ｃｍ３以下であることが一層好ましい。具体的には、肌対向領域１６の密度は０．００１ｇ／ｃｍ３以上１．０ｇ／ｃｍ３以下であることが好ましく、０．００５ｇ／ｃｍ３以上０．５ｇ／ｃｍ３以下であることが更に好ましく、０．０１ｇ／ｃｍ３以上０．１ｇ／ｃｍ３以下であることが一層好ましい。なお、吸収性コア１４の密度が肌対向領域１６から衣類対向領域１７に向かって徐々に変化する場合には、肌対向領域１６の密度は、中間部における吸収性コア１４の全厚み（最も厚い部分の厚み）の肌対向領域１６表面から１／２までの厚み領域における密度とする。
【００３６】
前記と同様の観点から、吸収性コア１４における衣類対向領域１７の密度は、肌対向領域１６の密度よりも高いことを条件として、０．０１ｇ／ｃｍ３以上であることが好ましく、０．０５ｇ／ｃｍ３以上であることが更に好ましく、０．１ｇ／ｃｍ３以上であることが一層好ましい。また、１０ｇ／ｃｍ３以下であることが好ましく、５ｇ／ｃｍ３以下であることが更に好ましく、０．５ｇ／ｃｍ３以下であることが一層好ましい。具体的には、肌対向領域１６の密度は０．０１ｇ／ｃｍ３以上１０ｇ／ｃｍ３以下であることが好ましく、０．０５ｇ／ｃｍ３以上５ｇ／ｃｍ３以下であることが更に好ましく、０．１ｇ／ｃｍ３以上０．５ｇ／ｃｍ３以下であることが一層好ましい。なお、吸収性コア１４の密度が肌対向領域１６から衣類対向領域１７に向かって徐々に変化する場合には、衣類対向領域１７の密度は、中間部における吸収性コア１４の全厚み（最も厚い部分の厚み）の衣類対向領域１７表面から１／２までの厚み領域における密度とする。
【００３７】
更に前記と同様の観点から、吸収性コア１４における衣類対向領域１７の密度は、肌対向領域１６の密度の１．１倍以上であることが好ましく、１．５倍以上であることが更に好ましく、２．０倍以上であることが一層好ましい。また衣類対向領域１７の密度は、肌対向領域１６の密度の５０倍以下であることが好ましく、３０倍以下であることが更に好ましく、２０倍以下であることが一層好ましい。具体的には、衣類対向領域１７の密度は、肌対向領域１６の密度の１．１倍以上５０倍以下であることが好ましく、１．５倍以上３０倍以下であることが更に好ましく、２．０倍以上２０倍以下であることが一層好ましい。
【００３８】
上述の密度との関係で、肌対向領域１６の坪量は５０ｇ／ｍ２以上であることが好ましく、８０ｇ／ｍ２以上であることが更に好ましく、１００ｇ／ｍ２以上であることが一層好ましい。また、６００ｇ／ｍ２以下であることが好ましく、５００ｇ／ｍ２以下であることが更に好ましく、４００ｇ／ｍ２以下であることが一層好ましい。具体的には、肌対向領域１６の坪量は５０ｇ／ｍ２以上６００ｇ／ｍ２以下であることが好ましく、８０ｇ／ｍ２以上５００ｇ／ｍ２以下であることが更に好ましく、１００ｇ／ｍ２以上４００ｇ／ｍ２以下であることが一層好ましい。
【００３９】
一方、衣類対向領域１７の坪量は５０ｇ／ｍ２以上であることが好ましく、８０ｇ／ｍ２以上であることが更に好ましく、１００ｇ／ｍ２以上であることが一層好ましい。また、６００ｇ／ｍ２以下であることが好ましく、５００ｇ／ｍ２以下であることが更に好ましく、４００ｇ／ｍ２以下であることが一層好ましい。具体的には、衣類対向領域１７の坪量は５０ｇ／ｍ２以上６００ｇ／ｍ２以下であることが好ましく、８０ｇ／ｍ２以上５００ｇ／ｍ２以下であることが更に好ましく、１００ｇ／ｍ２以上４００ｇ／ｍ２以下であることが一層好ましい。
【００４０】
肌対向領域１６の坪量と衣類対向領域１７の坪量との間の大小関係については、衣類対向領域１７の密度を大きくするという観点からは、衣類対向領域１７の坪量の方が高いことが好ましいが、これに限られない。
【００４１】
肌対向領域１６及び衣類対向領域１７を含む吸収性コア１４全体の坪量は、１００ｇ／ｍ２以上１２００ｇ／ｍ２以下であることが好ましく、１６０ｇ／ｍ２以上１０００ｇ／ｍ２以下であることが更に好ましく、２００ｇ／ｍ２以上８００ｇ／ｍ２以下であることが一層好ましい。
【００４２】
図２には、本発明の別の実施形態の吸収性物品１０が示されている。この吸収性物品１０においては、吸収性コアのうち、肌対向領域１６のコア１４Ａが第１コアラップシート１５Ａで被覆されて第１吸収体１３Ａが形成されているとともに、衣類対向領域１７のコア１４Ｂが第２コアラップシート１５Ｂで被覆されて第２吸収体１３Ｂが形成されている。そして、第２吸収体１３Ｂ上に第１吸収体１３Ａが重ね合わされて吸収体１３が形成されている。このように、本実施形態の吸収性物品１０においては、吸収体１３が個々に区別される２つの吸収体１３Ａ，１３Ｂから構成されている。
【００４３】
本実施形態においては、第１コアラップシート１５Ａ及び第２コアラップシート１５Ｂのうちの少なくとも一方が血球凝集剤を含んでいることが好ましい。特に血球凝集剤は、表面シート１１に対して最も近接して配置されている吸収性コアである肌対向領域１６のコア１４Ａを被覆する第１コアラップシート１５Ａに含まれていることが好ましく、その場合、血球凝集剤は、第１コアラップシート１５Ａのうち、肌対向領域１６のコア１４Ａと表面シート１１との間に少なくとも含まれていることが好ましい。
【００４４】
血球凝集剤は、第１コアラップシート１５Ａ及び第２コアラップシート１５Ｂの双方に含まれていてもよい。その場合、血球凝集剤は、第１コアラップシート１５Ａにおける肌対向領域１６のコア１４Ａと表面シート１１との間、及び肌対向領域１６のコア１４Ａと衣類対向領域１７のコア１４Ｂとの間に少なくとも含まれており、且つ第２コアラップシート１５Ｂにおける衣類対向領域１７のコア１４Ｂと肌対向領域１６のコア１４Ａとの間、及び衣類対向領域１７のコア１４Ｂと裏面シート１２との間に少なくとも含まれていることが好ましい。
【００４５】
本実施形態の吸収体１３においては、図１に示す実施形態と同様に、肌対向領域１６の密度が衣類対向領域１７の密度よりも高くなっている。そして本実施形態においても、図１に示す実施形態と同様に、表面シート側で液の拡散が抑制されるとともに、吸収体中で血液を広く拡散させることができる。
【００４６】
特に本実施形態によれば、肌対向領域１６のコア１４Ａと衣類対向領域１７のコア１４Ｂとが別個に第１及び第２コアラップシート１５Ａ，１５Ｂによって被覆されている。第１コアラップシート１５Ａの肌対向面及び衣類対向面に血球凝集剤が含まれている場合には、血液が第１コアラップシート１５Ａと接触する機会が増え、溶出する血球凝集剤の量がより多くなるので、衣類対向領域１７での血漿の拡散がより助長されるという有利な効果が奏される。また、第２コアラップシート１５Ｂの肌対向面に血球凝集剤が含まれていると、コア１４Ａを通過した血液と血球凝集剤の接触機会が増えるので、コア１４Ｂで血漿が吸収保持されやすくなるという有利な効果が奏される。
【００４７】
図２に示す実施形態において、肌対向領域１６のコア１４Ａの密度と衣類対向領域１７のコア１４Ｂの密度との大小関係の詳細は、図１に示す実施形態と同様とすることができる。また、本実施形態に関し特に説明しない点については、図１に示す実施形態に関する説明が適宜適用される。
【００４８】
なお、図２に示す実施形態においては、図１に示す実施形態と異なり、肌対向領域１６のコア１４Ａと衣類対向領域１７のコア１４Ｂとは直接に接しておらず、両者間に第１及び第２コアラップシート１５Ａ，１５Ｂが介在している。しかしこのことは、肌対向領域１６のコア１４Ａから衣類対向領域１７のコア１４Ｂへの液の円滑な移行を妨げるものではない。その理由は、第１及び第２コアラップシート１５Ａ，１５Ｂとして一般に用いられる薄葉紙や不織布は、コア１４Ａ，１４Ｂに比べて低密度のものであるからである。
【００４９】
図１及び図２に示す実施形態に関し、コアラップシート１５，１５Ａ，１５Ｂに血球凝集剤を含ませるためには、例えば血球凝集剤を含む繊維を原料として用い、公知の方法に従い繊維シートを製造すればよい。公知の方法とは、例えば湿式及び乾式抄紙法、スパンボンド法、スパンレース法、エアスルー法及びメルトブローン法などの各種の不織布製造方法などが挙げられる。別法として、公知の方法に従い繊維シートを製造した後、該繊維シートに対して血球凝集剤を付与する方法が挙げられる。血球凝集剤の付与のためには、各種の塗工方法、例えばスプレー法、ディッピング法、転写法、ダイ塗工、グラビア塗工、インクジェット法、スクリーン印刷法などが挙げられ、血球凝集剤をどのような塗工パターンで付与するかに応じて適切な塗工方法を採用すればよい。
【００５０】
図１及び図２に示す実施形態に関し、コアラップシート１５，１５Ａ，１５Ｂに含まれている血球凝集剤としては、例えばアクリルアミドコポリマーやポリリシンを初めとする、強く正帯電した線形カチオン性ポリマーを用いることができる。あるいは、ポリプロピレンオキシド及びポリエチレンオキシドのトリブロックコポリマーを用いることができる。そのようなトリブロックコポリマーの例としてはＢＡＳＦ社から入手可能な「プルロニックＦ−９８」が挙げられる。また、血球凝集剤としては、国際公開第２０１６／０９３２３３号に記載のものを任意に用いることができる。
【００５１】
本発明者の知見によれば、血球凝集剤としてはカチオン性ポリマーが有用である。カチオン性ポリマーは例えば、高分子からなる主鎖から分岐する側鎖にカチオン性基が結合している高分子材料であるか、又は高分子からなる主鎖中にカチオン性基を有する高分子材料を包含する。血球凝集剤としてカチオン性ポリマーが有用である理由は次のとおりである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。更に、凝集剤が官能基を有している場合には、該官能基間の相互作用によっても赤血球の凝集が促進されるので好ましい。カチオン性ポリマーによれば、以上の作用機序によって経血中に赤血球の凝集塊を生成することが可能になる。
【００５２】
カチオン性ポリマーを初めとする本発明で用いられる血球凝集剤は、擬似血液に、測定サンプルを１０００ｐｐｍ添加した際に、血液の流動性が維持された状態で、少なくとも２個以上の赤血球が凝集して凝集塊を形成する性質を有するものである。
【００５３】
前記の「血液の流動性が維持された状態」は、測定サンプル剤が１０００ｐｐｍ添加された擬似血液１０ｇをスクリュー管瓶（株式会社マルエム製  品番「スクリュー管Ｎｏ．４」、口内径１４．５ｍｍ、胴径２７ｍｍ、全長５５ｍｍ）に入れ、該擬似血液を入れたスクリュー管瓶を１８０度反転した際に、２５℃において５秒以内で８０％以上の該擬似血液が流れ落ちる状態を意味する。本明細書において擬似血液とは、Ｂ型粘度計（東機産業株式会社製  型番ＴＶＢ−１０Ｍ、測定条件：ローターＮｏ．１９、３０ｒｐｍ、６０秒間）を用いて測定した粘度が２５℃で８ｍＰａ・ｓになるように脱繊維馬血（株式会社日本バイオテスト研究所製）の血球・血漿比率を調整したものである。
【００５４】
前記の「２個以上の赤血球が凝集して凝集塊を形成」しているか否かは、次のようにして判断される。すなわち、測定サンプル剤が１０００ｐｐｍ添加された擬似血液を、生理食塩水で４０００倍に希釈し、レーザー回折／散乱式粒度分布測定装置（株式会社堀場製作所製  型番：ＬＡ−９５０Ｖ２、測定条件：フロー式セル測定、循環速度１、超音波なし）を用いたレーザー回折散乱法によって、温度２５℃にて測定した体積粒径平均のメジアン径が、２個以上の赤血球が凝集した凝集塊のサイズに相当する１０μｍ以上である場合に、「２個以上の赤血球が凝集して凝集塊を形成」していると判断する。
【００５５】
本発明で用いられる血球凝集剤は、前記の性質に当てはまる単一の化合物若しくは前記の性質に当てはまる単一の化合物を複数組み合わせた混合物、又は複数の化合物の組み合わせによって前記の性質を満たす（赤血球の凝集を発現し得る）剤である。つまり血球凝集剤とは、あくまで前記定義によるところの血球凝集作用があるものに限定した剤のことである。したがって、血球凝集剤に、前記定義に当てはまらない第三成分を含む場合には、それを血球凝集剤組成物と表現し、血球凝集剤と区別する。なお、本明細書において「単一の化合物」とは、同じ組成式を有するが、繰り返し単位数が異なることにより、分子量が異なる化合物を含める概念である。
【００５６】
本発明で用いられる血球凝集剤としてのカチオン性ポリマーとしては、例えばカチオン化セルロースや、塩化ヒドロキシプロピルトリモニウムデンプン等のカチオン化デンプンなどが挙げられる。また、本発明で用いられる血球凝集剤は、カチオン性ポリマーとして、第４級アンモニウム塩ホモポリマー、第４級アンモニウム塩共重合物又は第４級アンモニウム塩重縮合物を含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。
【００５７】
本発明で用いる血球凝集剤が、カチオン性ポリマーとして、第４級アンモニウム塩ホモポリマー及び／又は第４級アンモニウム塩共重合物及び／又は第４級アンモニウム塩重縮合物を含む場合、該血球凝集剤は、第４級アンモニウム塩ホモポリマー、第４級アンモニウム塩共重合物及び第４級アンモニウム塩重縮合物のうちのいずれか１種を含んでいてもよく、あるいは任意の２種以上の組み合わせを含んでいてもよい。また第４級アンモニウム塩ホモポリマーは、１種を単独で用いることができ、又は２種以上を組み合わせて用いることができる。同様に、第４級アンモニウム塩共重合物は、１種を単独で用いることができ、又は２種以上を組み合わせて用いることができる。更に同様に、第４級アンモニウム塩重縮合物は、１種を単独で用いることができ、又は２種以上を組み合わせて用いることができる。
【００５８】
前述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。
【００５９】
カチオン性ポリマーの一種である第４級アンモニウム塩ホモポリマーは、以下の式１で表される繰り返し単位を有することが好ましい。
【００６０】
【化１】
2019041794.tif 000003
【００６１】
第４級アンモニウム塩ホモポリマーの具体例としては、ポリエチレンイミンなどが挙げられる。また、第４級アンモニウム部位を有する側鎖が、主鎖と１点で結合しているものであるポリ（２−メタクリルオキシエチルジメチルアミン４級塩）、ポリ（２−メタクリルオキシエチルトリメチルアンモニウム塩）、ポリ（２−メタクリルオキシエチルジメチルエチルアンモニウムメチル硫酸塩）、ポリ（２−アクリルオキシエチルジメチルアミン４級塩）、ポリ（２−アクリルオキシエチルトリメチルアミン４級塩）、ポリ（２−アクリルオキシエチルジメチルエチルアンモニウムエチル硫酸塩）、ポリ（３−ジメチルアミノプロピルアクリルアミド４級塩）、ポリメタクル酸ジメチルアミノエチル、ポリアリルアミン塩酸塩、カチオン化セルロース、ポリエチレンイミン、ポリジメチルアミノプロピルアクリルアミド、ポリアミジンなどが挙げられる。一方、第４級アンモニウム部位を有する側鎖が、主鎖と２点以上で結合しているホモポリマーの例としては、ポリジアリルジメチルアンモニウムクロライド、ポリジアリルアミン塩酸塩が挙げられる。
【００６２】
カチオン性ポリマーが、第４級アンモニウム塩共重合物である場合には、該共重合物として、前述した第４級アンモニウム塩ホモポリマーの重合に用いられる重合性単量体を２種以上用い共重合して得られた共重合物を用いることができる。あるいは、第４級アンモニウム塩共重合物として、前述した第４級アンモニウム塩ホモポリマーの重合に用いられる重合性単量体を１種以上と、第４級アンモニウム部位を有さない重合性単量体を１種以上用い共重合して得られた共重合物を用いることができる。更に、ビニル系重合性単量体に加えて、又はそれに代えて、他の重合性単量体、例えば−ＳＯ２−などを用いることもできる。第４級アンモニウム塩共重合物は、前述したとおり、二元系の共重合物又は三元系以上の共重合物であり得る。
【００６３】
特に、第４級アンモニウム塩共重合物は、前記の式１で表される繰り返し単位と、以下の式２で表される繰り返し単位とを有することが、赤血球の凝集塊を効果的に生成させる観点から好ましい。
【００６４】
【化２】
2019041794.tif 000004
【００６５】
第４級アンモニウム塩ポリマーが、第４級アンモニウム塩重縮合物である場合には、該重縮合物として、前述した第４級アンモニウム部位を有する単量体１種以上からなる縮合物を用い、それらの縮合物を重合することで得られた重縮合物を用いることができる。具体例としては、ジシアンジアミド／ジエチレントリアミン重縮合物、ジメチルアミン／エピクロルヒドリン重縮合物などが挙げられる。
【００６６】
赤血球の凝集塊を効果的に生成させる観点から、カチオン性ポリマーは、その分子量が１万以上であることが好ましく、３万以上であることが更に好ましい。カチオン性ポリマーの分子量がこれらの値以上であることによって、赤血球間でのカチオン性ポリマーどうしの絡み合いや、赤血球間でのカチオン性ポリマーの架橋が十分に生じる。分子量の上限値は１０００万以下であることが好ましく、３００万以下であることが更に好ましく、１００万以下であることが一層好ましい。カチオン性ポリマーの分子量がこれらの値以下であることによって、カチオン性ポリマーが経血中へ良好に溶解する。カチオン性ポリマーの分子量は、１万以上１０００万以下であることが好ましく、１万以上３００万以下であることが更に好ましく、３万以上１００万以下であることが一層好ましい。本発明に言う分子量とは、重量平均分子量のことである。カチオン性ポリマーの分子量は、その重合条件を適切に選択することで制御することができる。カチオン性ポリマーの分子量は、東ソー株式会社製のＨＬＣ−８３２０ＧＰＣを用いて測定することができる。具体的な測定条件は次のとおりである。
【００６７】
カラムとしては、東ソー株式会社製のガードカラムαと分析カラムα−Ｍを直列でつないだものを、カラム温度：４０℃で用いる。検出器は、ＲＩ（屈折率）を用いる。測定サンプルとしては、溶離液１ｍＬに対して１ｍｇの測定対象の処理剤（第４級アンモニウム塩ポリマー）を溶解させる。ヒドロキシエチルメタクリレートなどの水溶性重合性単量体を含む共重合体は、水に１５０ｍｍｏｌ／Ｌの硫酸ナトリウムと１質量％の酢酸を溶解させた溶離液を用いる。ヒドロキシエチルメタクリレートなどの水溶性重合性単量体を含む共重合体は、溶離液１０ｍＬに対して、分子量５９００のプルラン、分子量４７３００のプルラン、分子量２１．２万のプルラン、分子量７８．８万のプルラン、各２．５ｍｇ溶解させたプルラン混合物を、分子量標準として用いる。ヒドロキシエチルメタクリレートなどの水溶性重合性単量体を含む共重合体は流速：１．０ｍＬ／ｍｉｎ、注入量：１００μＬで測定する。ヒドロキシエチルメタクリレートなどの水溶性重合性単量体を含む共重合体以外は、エタノール：水＝３：７（体積比）に５０ｍｍｏｌ／Ｌの臭化リチウムと１質量％の酢酸を溶解させた溶離液を用いる。ヒドロキシエチルメタクリレートなどの水溶性重合性単量体を含む共重合体以外は、溶離液２０ｍＬに対して、分子量１０６のポリエチレングリコール（ＰＥＧ）、分子量４００のＰＥＧ、分子量１４７０のＰＥＧ、分子量６４５０のＰＥＧ、分子量５万のポリエチレンオキシド（ＰＥＯ）、分子量２３．５万のＰＥＯ、分子量８７．５万のＰＥＯ、各１０ｍｇ溶解させたＰＥＧ−ＰＥＯ混合物を、分子量標準として用いる。ヒドロキシエチルメタクリレートなどの水溶性重合性単量体を含む共重合体以外は流速：０．６ｍＬ／ｍｉｎ、注入量：１００μＬで測定する。
【００６８】
カチオン性ポリマーを含め、血球凝集剤に具体例等に関する詳細は、例えば特開２０１６−１０７１００号公報に記載されている。
【００６９】
本発明で用いる血球凝集剤は、第三成分、例えば、溶媒、可塑剤、香料、抗菌・消臭剤、スキンケア剤等の他の成分を１種以上含んだ組成物（血球凝集剤組成物）の形態であってもよい。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。香料としては、特開２００７−２４４７６４号公報に記載されているグリーンハーバル様香気を有する香料、植物の抽出エキス、柑橘類の抽出エキスなどを用いることができる。抗菌・消臭剤としては、特開２００４−２４４７８９号公報に記載されている抗菌性を有する金属を含むカンクリナイト様鉱物、特開２００７−０９７９５３号公報に記載されているフェニル基を有する重合性モノマーから重合された多孔性ポリマー、特開２００６−１９１９６６号公報に記載されている第４級アンモニウム塩、活性炭、粘土鉱物などを用いることができる。スキンケア剤としては、特開２００４−２５５１６４号公報に記載されている植物エキス、コラーゲン、天然保湿成分、保湿剤、角質柔軟化剤、消炎剤などを用いることができる。
【００７０】
前記血球凝集剤組成物に占める血球凝集剤の割合は、２０質量％以上であることが好ましく、４０質量％以上であることが更に好ましく、５０質量％以上であることが一層好ましい。また、９９質量％以下であることが好ましく、８０質量％以下であることが更に好ましく、６０質量％以下であることが一層好ましい。前記血球凝集剤組成物に占める血球凝集剤の割合をこの範囲内に設定することで、吸収性物品に有効量の血球凝集剤を付与することができる。
【００７１】
以上、本発明をその好ましい実施形態に基づき説明したが、本発明は前記実施形態に制限されない。例えば図１及び図２に示す実施形態においては、吸収性コアにおける肌対向領域１６と衣類対向領域１７とは、長手方向の長さ及び幅方向Ｙの長さが概ね同一であったが、これに代えて、肌対向領域１６の長手方向の長さ及び幅方向Ｙの長さを、衣類対向領域１７の長手方向の長さ及び幅方向Ｙの長さよりも短くして、吸収性物品１０のフィット性を一層高めてもよい。
【００７２】
また前記の各実施形態においては、吸収性コアが相対的に低密度の肌対向領域１６と、相対的に高密度の衣類対向領域１７との２つの領域から構成されていたが、吸収性コアにおいて肌対向領域１６が最も肌対向面側に位置し且つ衣類対向領域１７が最も衣類対向面側に位置する限りにおいて、肌対向領域１６と衣類対向領域１７との間に、任意の密度を有する別の領域が存在していてもよい。
【実施例】
【００７３】
以下、実施例により本発明を更に詳細に説明する。しかしながら本発明の範囲は、かかる実施例に制限されない。
【００７４】
〔実施例１〕
図２に示す構造の生理用ナプキン１０を製造した。表面シート１１として坪量３０ｇ／ｍ２のエアスルー不織布を用いた。裏面シート１２としてポリプロピレンの透湿性シートを用いた。第１吸収体１３Ａ及び第２吸収体１３Ｂの第１コアラップシート１５Ａ及び第２コアラップシート１５Ｂとして、坪量１６ｇ／ｍ２の薄葉紙を用いた。この薄葉紙の全域に、４級アンモニウム塩ポリマーとして、水溶性の第４級アンモニウム塩ホモポリマーであるポリジアリルジメチルアンモニウムクロライド（ニットーボーメディカル社製、ＰＡＳ−Ｈ−５Ｌ）を用いた。このポリマーを水に溶解して濃度５質量％の水溶液を調製し、この水溶液を薄葉紙に噴霧した後に乾燥させた。ポリマーが付着した薄葉紙の質量を基準とするポリマーの割合は２３質量％であった。
第１吸収体１３Ａのコア１４Ａとして、パルプ積繊体からなり、密度が０．０５５ｇ／ｃｍ３であり、坪量が３００ｇ／ｍ２、厚さが５．５ｍｍである積繊体を用いた。第２吸収体１３Ｂのコア１４Ｂとして、パルプ積繊体からなり、密度が０．２ｇ／ｃｍ３であり、坪量が３００ｇ／ｍ２、厚さが１．５ｍｍである積繊体を用いた。
【００７５】
〔比較例１〕
実施例１において、第１コアラップシート１５Ａ及び第２コアラップシート１５Ｂとして用いた薄葉紙に４級アンモニウム塩ポリマーを付着させなかった。また、第１吸収体１３Ａのコア１４Ａ及び第２吸収体１３Ｂのコア１４Ｂとして密度がいずれも０．０５５ｇ／ｃｍ３、厚さが５．５ｍｍのものを用いた。これ以外は実施例１と同様にして生理用ナプキンを得た。
【００７６】
〔比較例２〕
第２吸収体１３Ｂのコア１４Ｂとして、密度が０．０５５ｇ／ｃｍ３、パルプ坪量が３００ｇ／ｍ２、厚さが５．５ｍｍのものを用いた。これ以外は実施例１と同様にして生理用ナプキンを得た。
【００７７】
〔比較例３〕
第１コアラップシート１５Ａ及び第２コアラップシート１５Ｂに４級アンモニウム塩ポリマーを付着させなかった。これ以外は実施例１と同様にして生理用ナプキンを得た。
【００７８】
〔評価〕
実施例及び比較例で得られた生理用ナプキンについて、液戻り量、厚さ方向の血液分布、及び液広がり面積の表裏比を以下の方法で測定した。その結果を以下の表１に示す。
【００７９】
〔液戻り量〕
生理用ナプキンを、その表面シートが上方を向くように水平に置いた。底部に直径１ｃｍの注入口が付いた円筒付きアクリル板を表面シート上に載置し、該注入口から擬似血液を６ｇ注入し、注入後５分間その状態を保持した。次に、円筒付きアクリル板を取り除き、表面シート上に、縦６ｃｍ×横９．５ｃｍで坪量１３ｇ／ｍ２の吸収紙（市販のティッシュペーパー）を１６枚重ねて載せた。更にその上に圧力が５ｇｆ／ｃｍ２になるように重りを載せて５秒間加圧した。加圧後、吸収紙を取り出し、加圧前後での紙の質量差を求め、その値を吸収紙に吸収された擬似血液の液戻り量とした。
【００８０】
〔厚さ方向の血液分布〕
生理用ナプキンを、その表面シートが上方を向くように水平に置いた。底部に直径１ｃｍの注入口が付いた円筒付きアクリル板を表面シート上に載置し、該注入口から擬似血液を６ｇ注入し、注入後３分間その状態を保持した。次に、円筒付きアクリル板を取り除き、生理用ナプキンをその構成部材に分解した。分解後、吸収性コア１４における肌対向領域１６及び衣類対向領域１７について、擬似血液の注入前後での質量差を求め、その値を肌対向領域１６及び衣類対向領域１７のそれぞれに吸収された擬似血液の血液分布とした。
【００８１】
〔液広がり面積の表裏比〕
生理用ナプキンを、その表面シートが上方を向くように水平に置いた。底部に直径１ｃｍの注入口が付いた円筒付きアクリル板を表面シート上に載置し、該注入口から擬似血液を６ｇ注入し、注入後３分間その状態を保持した。次に、円筒付きアクリル板を取り除き、生理用ナプキンの肌対向面及び衣類対向面の血液の広がり面積をＯＨＰシートに書き写し、面積を計算した。〔肌対向面での液広がり面積／衣類対向面での液広がり面積〕の値を算出し、その値を液広がり面積の表裏比とした。
【００８２】
【表１】
2019041794.tif 000005
【００８３】
表１に示す結果から明らかなとおり、実施例のナプキンは、比較例のナプキンに比べて、液戻り量が少ないことが判る。また実施例のナプキンは、比較例のナプキンに比べて、上側の吸収性コアにおいて液が保持されるだけでなく、下側の吸収性コアにおいても液が保持されることが判る。すなわち上側の吸収性コアに保持される液量が減少し、下側の吸収性コアへ液が効果的に移行していることが分かる。更に実施例のナプキンは、比較例のナプキンに比べて、肌対向面側の液広がり面積よりも衣類対向面側の液広がり面積が大きいことが判る。
【符号の説明】
【００８４】
１０  吸収性物品（生理用ナプキン）
１１  表面シート
１２  裏面シート
１３  吸収体
１３Ａ  第１吸収体
１３Ｂ  第２吸収体
１４  吸収性コア
１４Ａ，１４Ｂ  コア
１５  コアラップシート
１５Ａ  第１コアラップシート
１５Ｂ  第２コアラップシート
１６  肌対向領域
１７  衣類対向領域
【図１】
2019041794.tif 000006
【図２】
2019041794.tif 000007